(57)【要約】 【課題】  簡易な構成により袋の開口を確実に拡げることができる袋詰め装置を提供する。【解決手段】  積層状態で互いに接着され側壁に挿通孔を有する複数の包装袋の開口を１枚ずつ拡げて、物品を袋詰めすることができる袋詰め装置であって、  物品が投入される投入部１２を上部に有する装置本体１０と、互いに平行且つ水平に延びるように投入部１２の下方において装置本体１０に固定された一対のガイドロッド２０（，２０）と、先端部が包装袋内に上方から挿入されるように装置本体１０に固定された保持部材３０とを備え、一対のガイドロッド２０（，２０）は、長手方向に沿って包装袋をスライドさせて先端側から抜き取ることができるように基端側が装置本体１０に片持ち支持されており、保持部材３０は、包装袋の内周面におけるガイドロッド２０の基端側に当接し、ガイドロッド２０の長手方向に撓み変形するように配置されている。【選択図】  図２
2014069892.tif 000002
【特許請求の範囲】
【請求項１】
積層状態で互いに接着され側壁に挿通孔を有する複数の包装袋の開口を１枚ずつ拡げて、物品を袋詰めすることができる袋詰め装置であって、
物品が投入される投入部を上部に有する装置本体と、
互いに平行且つ水平に延びるように前記投入部の下方において前記装置本体に固定され、前記挿通孔に挿通されて前記包装袋を前記開口が上方となるように吊り下げ支持する一対のガイドロッドと、
先端部が前記包装袋内に上方から挿入されるように前記装置本体に固定された保持部材とを備え、
一対の前記ガイドロッドは、長手方向に沿って前記包装袋をスライドさせて先端側から抜き取ることができるように基端側が前記装置本体に片持ち支持されており、
前記保持部材は、前記包装袋の内周面における前記ガイドロッドの基端側に当接し、前記ガイドロッドの長手方向に撓み変形するように配置されている袋詰め装置。
【請求項２】
前記保持部材は、長さが異なる複数の板材を重ね合わせて構成される請求項１に記載の袋詰め装置。
【請求項３】
前記包装袋の底部を支持するように配置され、前記包装袋内に供給される物品の落下衝撃を緩和する緩衝部材を更に備える請求項１または２に記載の袋詰め装置。
【発明の詳細な説明】
【技術分野】
【０００１】
本発明は、魚や野菜等の物品を包装袋に袋詰めするための袋詰め装置に関する。
【背景技術】
【０００２】
従来の袋詰め装置として、例えば特許文献１に開示された構成が知られている。図８に示すように、この袋詰め装置９０は、水平に延びるハンガ９１に多数の袋９２が吊り下げ支持され、ペダル９３の操作に連動して係合板９４が回動することで、係合板９４の先端部９４ａが袋９２の開口縁に当接して開口を拡げ、案内筒９５から袋９２内に物品を収容できるように構成されている。多数の袋９２は、最前面に位置するものの開口縁が係合板９４の先端部と当接するように、押出具９６により押し出される。
【先行技術文献】
【特許文献】
【０００３】
【特許文献１】特開２００６−２９０４１８号公報
【発明の概要】
【発明が解決しようとする課題】
【０００４】
ところが、上記従来の袋詰め装置は、ペダル操作に連動して係合板９４を回動させるための構成が煩雑なだけでなく、ハンガ９１に吊り下げ支持された袋９２の残量によって押出具９６の押出力にばらつきが生じるため、係合板９４が回動しても袋９２の開口を拡げることができないおそれがあった。
【０００５】
そこで、本発明は、簡易な構成により袋の開口を確実に拡げることができる袋詰め装置の提供を目的とする。
【課題を解決するための手段】
【０００６】
本発明の前記目的は、積層状態で互いに接着され側壁に挿通孔を有する複数の包装袋の開口を１枚ずつ拡げて、物品を袋詰めすることができる袋詰め装置であって、物品が投入される投入部を上部に有する装置本体と、互いに平行且つ水平に延びるように前記投入部の下方において前記装置本体に固定され、前記挿通孔に挿通されて前記包装袋を前記開口が上方となるように吊り下げ支持する一対のガイドロッドと、先端部が前記包装袋内に上方から挿入されるように前記装置本体に固定された保持部材とを備え、一対の前記ガイドロッドは、長手方向に沿って前記包装袋をスライドさせて先端側から抜き取ることができるように基端側が前記装置本体に片持ち支持されており、前記保持部材は、前記包装袋の内周面における前記ガイドロッドの基端側に当接し、前記ガイドロッドの長手方向に撓み変形するように配置されている袋詰め装置により達成される。
【０００７】
この袋詰め装置において、前記保持部材は、長さが異なる複数の板材を重ね合わせて構成することができる。
【０００８】
また、前記包装袋の底部を支持するように配置され、前記包装袋内に供給される物品の落下衝撃を緩和する緩衝部材を更に備えることが好ましい。
【発明の効果】
【０００９】
本発明によれば、簡易な構成により袋の開口を確実に拡げることができる袋詰め装置を提供することができる。
【図面の簡単な説明】
【００１０】
【図１】本発明の一実施形態に係る袋詰め装置の正面図である。
【図２】図１のＡ−Ａ断面図である。
【図３】図１の要部平面図であり、包装袋を吊り下げ支持する状態を示している。
【図４】図１に示す袋詰め装置の使用方法を説明するための工程断面図である。
【図５】図１に示す袋詰め装置の変形例を示す要部断面図である。
【図６】図１に示す袋詰め装置の他の変形例を示す正面図である。
【図７】図１に示す袋詰め装置の更に他の変形例を示す断面図である。
【図８】従来の袋詰め装置の断面図である。
【発明を実施するための形態】
【００１１】
以下、本発明の実施の形態について、添付図面を参照して説明する。図１は、本発明の一実施形態に係る袋詰め装置の正面図であり、図２は、図１のＡ−Ａ断面図である。図１および図２に示すように、袋詰め装置１は、装置本体１０に、一対のガイドロッド２０，２０、保持部材３０および緩衝部材４０が取り付けられて構成されている。
【００１２】
装置本体１０は、正面側が開口するように筐体状に形成されており、装置本体１０の下部には、テーブル等に載置するための複数の脚部１０ａ，１０ａが設けられている。装置本体１０の上部には、袋詰めされる物品が投入される投入部１２が形成されている。投入部１２の直下にはホッパ１４が設けられており、ホッパ１４の下部に円環状の排出部１４ａが設けられている。排出部１４ａには、ゴム材や合成樹脂等からなる供給筒１６が外嵌されており、投入部１２に投入された物品は、ホッパ１４および供給筒１６を経て下方に供給される。
【００１３】
一対のガイドロッド２０，２０は、互いに平行且つ水平に延びる長尺の部材であり、基端側が支持ブラケット２２を介して装置本体１０の背面板１１に固定されている。一対のガイドロッド２０，２０の先端側は装置本体１０の正面側開口に向けて延びており、この先端側が自由端となるように片持ち支持されている。一対のガイドロッド２０，２０は、後述するように包装袋を吊り下げ支持することが可能であり、包装袋の上部開口が供給筒１６の直下に位置するように、供給筒１６を挟んだ両側にそれぞれ配置されている。
【００１４】
図３は、包装袋５０が一対のガイドロッド２０，２０に吊り下げ支持された状態を示す要部平面図である。包装袋５０は、正面視が矩形状となるように偏平に折り畳まれたものを好ましく使用することができ、本実施形態では長辺方向の一端側（上端側）が開口すると共に、短辺方向両側が内方に折り込まれて、この折り込まれた部分の開口近傍に挿通孔５０ａを形成したものを使用する。各包装袋５０は、糊剤等からなる接着部５２を介して複数が整列状態で積層されており、短辺方向両側の挿通孔５０ａが、一対のガイドロッド２０，２０にそれぞれ挿通される。
【００１５】
保持部材３０は、金属やゴム材、合成樹脂等からなる帯状の部材であり、一対のガイドロッド２０，２０の長手方向に撓み変形可能となるように、上部が供給筒１６の外周面に取り付けられている。この保持部材３０は、先端部（下端部）が一対のガイドロッド２０，２０に支持された包装袋５０の内部に上方から挿入可能であり、包装袋５０の内周面におけるガイドロッド２０の基端側に当接するように配置されている。装置本体１０に対する保持部材３０の取付位置は特に限定されるものではなく、例えば、保持部材３０の上部がホッパ１４の外周面や支持ブラケット２２に固定された構成であってもよい。
【００１６】
緩衝部材４０は、固定板４１の上部に、複数のばね部材４４を介して水平な緩衝板４２を設けて構成されており、包装袋５０の底部が緩衝板４２の上面に当接して支持される。固定板４１は、装置本体１０の背面板１１に沿って起立する取付部４１１を備えており、取付部４１１にはボルト４１２が設けられている。背面板１１には上下方向に延びる長孔１１ａが形成されており、ボルト４１２を長孔１１ａに挿通してワッシャ４１３およびナット４１４で固定することにより固定板４１の位置決めが行われ、緩衝板４２を所望の高さ位置に支持することができる。緩衝部材４０は、包装袋（図示せず）の内部に供給される物品の落下衝撃を緩和するものであれば、本実施形態の構成に限定されるものではなく、例えば、図７に示すように、パッキン材、ゴム材、気泡緩衝材、発泡スポンジ、ウレタンフォーム等の高弾性のクッション材４６を備える構成であってもよい。なお、図７において、図２と同様の構成部分には、同一の符号を付している。
【００１７】
次に、上記の構成を備える袋詰め装置１を用いて物品を袋詰めする方法を、図４を参照しながら説明する。まず、図４（ａ）に示すように、互いに接着された複数の包装袋５０を、一対のガイドロッド２０（，２０）に先端側から挿入して保持部材３０よりも基端側に配置した後、最も先端側に位置する包装袋５０Ａの開口を拡げて、この開口を供給筒１６の直下に配置する。図４（ａ）に示す状態では、保持部材３０の先端が包装袋５０Ａの内周面に当接しているため、包装袋５０Ａをガイドロッド２０の先端側に向けて軽く引っ張ることで、包装袋５０Ａの開口を容易に拡げることができる。これにより、投入部１２から投入された物品は、包装袋５０Ａ内に収容される。
【００１８】
包装袋５０Ａ内に所望の物品が収容された後、図４（ｂ）に示すように、包装袋５０Ａをガイドロッド２０に沿って矢示方向に強く引っ張ると、この包装袋５０Ａに接着部５２で接着された２番目の包装袋５０Ｂも引っ張られ、保持部材３０がガイドロッド２０の先端方向に湾曲する。これにより、保持部材３０の先端位置が上昇すると共に、包装袋５０Ａ，５０Ｂの開口縁部が保持部材３０により下方に押圧されるため、保持部材３０の先端部は、包装袋５０Ａ，５０Ｂの開口縁部に乗り上げた後、図４（ｃ）に示すように、包装袋５０Ａから外れて２番目の包装袋５０Ｂの内周面と係合する。
【００１９】
この後、包装袋５０Ａを矢示方向に更に引っ張ると、２番目の包装袋５０Ｂは、基端側が保持部材３０により保持されたまま、先端側が包装袋５０Ａにより引っ張られるため、接着部５２における包装袋５０Ａと包装袋５０Ｂとの接着が解除され、包装袋５０Ａを取り外すことができる。この後は、再び図４（ａ）の状態になるため、各包装袋５０に対して順次物品を投入していくことができる。
【００２０】
このように、本実施形態の袋詰め装置１によれば、包装袋５０の開口を強制的に拡げるための構成が不要であり、物品を収容した包装袋５０を一対のガイドロッド２０，２０に沿って抜き取るだけで、新たな包装袋５０の開口を順次拡げることができる。したがって、構成が安価なだけでなく、物品の収容作業も容易であることから、例えば、スーパーや百貨店の食品売り場に設置する等して、消費者が利用可能なものとすることができる。
【００２１】
以上、本発明の一実施形態について詳述したが、本発明の具体的な態様は上記実施形態に限定されるものではない。例えば、保持部材３０は、物品の収容時には包装袋５０を確実に保持すると共に、包装袋５０の取り外し時には容易に変形して包装袋５０を抜き取り易い構成であれば、本実施形態のものには限定されない。一例を挙げると、図５に示すように、保持部材３０を長さが異なる複数の板材３０１，３０２を重ね合わせて構成し、先端側ほど板材３０１，３０２の重ね合わせが少なくなるようにすることで、上記の効果を容易に実現することができる。
【００２２】
また、装置本体１０の形状は、本実施形態ではテーブルに設置する構成として説明したが、図６に示すように、上下方向に長い自立型とし、下部に車輪１９，１９およびストッパ（図示せず）を備えることで、移動が容易な構成にすることもできる。
【符号の説明】
【００２３】
１  袋詰め装置
１０  装置本体
１２  投入部
２０  ガイドロッド
３０  保持部材
４０  緩衝部材
【図１】
2014069892.tif 000003
【図２】
2014069892.tif 000004
【図３】
2014069892.tif 000005
【図４】
2014069892.tif 000006
【図５】
2014069892.tif 000007
【図６】
2014069892.tif 000008
【図７】
2014069892.tif 000009
【図８】
2014069892.tif 000010